(57)【特許請求の範囲】
【請求項１】
電子デバイスが導電性接合により基板に取り付けられて、前記導電性接合により占有されていない開放部を有する空間によって前記電子デバイスが前記基板から離隔されるようになった前記基板上に、アンダーフィルを形成する方法であって、前記方法が、
前記アンダーフィルを冷却する段階と、
前記アンダーフィルを冷却後、電子デバイスの少なくとも１つの外縁部に近接して前記基板上にアンダーフィルを形成する段階と、
前記空間を真空排気して該空間の開放部に真空状態を形成する段階と、
前記空間を真空状態に排気した後で且つ前記排気状態を維持している間、前記少なくとも１つの外縁部から前記空間の開放部への前記アンダーフィルの流れを引き起こすようにする段階と、
を含む、方法。
【請求項２】
前記アンダーフィルが前記基板上に分配される前に、前記基板を冷却して、該アンダーフィルが前記基板上に分配されたときに前記アンダーフィルが室温より低く冷却されるようにする段階を更に含む、請求項１に記載の方法。
【請求項３】
前記アンダーフィルは、室温より低く冷却される、請求項１に記載の方法。
【請求項４】
前記アンダーフィルは、３０度から１２０度の範囲で冷却される、請求項１に記載の方法。
【請求項５】
前記真空状態が、前記アンダーフィルの物理的特性を顕著に又は有害に修正させることのない準大気圧であることを特徴とする、請求項１に記載の方法。
【請求項６】
前記真空状態が、９５Ｔｏｒｒより高いか又は等しい準大気圧であることを特徴とする、請求項１に記載の方法。
【請求項７】
前記アンダーフィルが固体アンダーフィルであり、該アンダーフィルがその融点を超えて毛管アンダーフィルを開始する温度にされる、請求項１に記載の方法。
【請求項８】
少なくとも１つのギャップが前記アンダーフィルの内部に形成され、前記空間が前記少なくとも１つのギャップを通って真空排気される、請求項１に記載の方法。
【請求項９】
前記アンダーフィルの内部にギャップが形成されず、真空状態が与えられたときに、前記空間内のガスが泡状になって前記アンダーフィルを通過する、請求項１に記載の方法。
【請求項１０】
前記導電性接合が、リフローされた半田ボールである、請求項１に記載の方法。
【請求項１１】
前記導電性接合が、銅ピラーである、請求項１に記載の方法。
【請求項１２】
前記空間を前記真空状態に排気した後、前記アンダーフィルを室温より高い第一の温度まで加熱する段階を更に含む、請求項１に記載の方法。
【請求項１３】
前記アンダーフィルは、前記第１温度よりも低い第２温度まで冷却される、請求項１２に記載の方法。
【発明の詳細な説明】
【技術分野】
【０００１】
本発明は、一般に、電子デバイスと基板との間にアンダーフィルを形成するための方法に関する。
【背景技術】
【０００２】
フリップ・チップ、チップ・スケール・パッケージ（ＣＳＰ）、ボール・グリッド・アレイ（ＢＧＡ）、又はパッケージ・オン・パッケージ組立体（ＰｏＰ）のような電子デバイスにおいて、パターン状の半田バンプを設け、該半田バンプを、取り付けときに基板上のパッドと位置合わせするか、銅ピラー又は他の形式の熱圧縮接合相互接続のような、別の形式の相互接続合技術を利用して接合することが一般的である。基板は、例えば、プリント回路基板、電子チップ又はウェーハとすることができる。半田が加熱によってリフローされ、その後硬化されて、半田接合により電子デバイスと基板とが接続される。アンダーフィルは、リフロー半田ボール間に残る、電子デバイスと基板との間の空間を充填するのに用いることができる。アンダーフィルは、様々な環境悪因子から該半田接合を保護し、衝撃による機械的応力を再分配して、熱サイクル時の歪みを受けて半田接合が移動するのを防止する。
【０００３】
従来のアンダーフィル形成時にガス又は空気のポケットがアンダーフィル内に閉じ込められて、アンダーフィルにおけるボイドの形成につながる場合がある。このボイドは、アンダーフィルで充填されていないので、作動中の熱膨張による歪み、又はアンダーフィルが形成された電子デバイスを含む組立最終製品（例えば携帯電話）を落としたときに発生する機械的衝撃に曝されたときに、ボイドに隣接する支持されていない半田接合が冷間流れに対し適切に保護されなくなる可能性がある。半田接合におけるボイドは、半田バンプが静圧圧縮状態及び歪み拘束状態で保持されるのを妨げ、これが半田接合疲労を増大させ、これによって半田接合の亀裂形成の可能性を高める恐れがある。
【０００４】
従って、アンダーフィルにおけるボイド形成の可能性を低減した、アンダーフィルを形成する改善された方法が必要とされている。
【発明の概要】
【発明が解決しようとする課題】
【０００５】
一実施形態において、電子デバイスを基板に接続するリフローされた半田ボール間の空間内にアンダーフィルを分配するための方法が提供される。本方法は、アンダーフィル内に少なくとも１つのギャップを備えて電子デバイスの少なくとも１つの外縁部に近接して基板上にアンダーフィルを形成する段階と、電子デバイスと基板との間の空間への空気通路を設け、次いで１つ又は複数のギャップを通して当該空間を真空排気し、空間内に真空状態を形成する段階と、を含む。空間を真空排気した後に、アンダーフィルが室温を上回って加熱され、リフローされた半田ボールの周りで１つ又は複数の外縁部から電子デバイスと基板との間の空間内へのアンダーフィルの毛管流れが生じるようになる。アンダーフィルは、室温で固体であり、ピックアンドプレース装置によって基板上に位置付けられた後、高温で液体となる材料として形成されるか、或いは、例えば弁又は分配器により基板上に分配できる液体材料として形成することができる。
【０００６】
本発明の別の実施形態は、電子デバイスが導電性接合により基板に取り付けられて、導電性接合により占有されていない開放部を有する空間によって電子デバイスが基板から離隔されるようになった基板上にアンダーフィルを形成する方法に関する。空間は、導電性接合部によって占有されていない開放部を有する。本方法は、電子デバイスの少なくとも１つの外縁部に近接して基板上にアンダーフィルを形成する段階と、空間を真空排気して該空間の開放部に真空状態を形成する段階と、を含む。空間を真空排気して真空状態にした後、アンダーフィルは室温より高温に加熱され、少なくとも１つの外縁部から空間の開放部内へのアンダーフィルの流れを引き起こすようにする。
【０００７】
本明細書に組み入れられてその一部を構成する添付図面は、上述した本発明の実施形態についての概要と共に本発明の例示的な実施形態を示すものであり、以下の詳細な説明は、本発明の実施形態の原理を説明する役割を果たす。
【図面の簡単な説明】
【０００８】
【図１】半田ボールのアレイによって基板に取り付けられ、側縁部に沿ってアンダーフィルが分配された電子デバイスの側面図である。
【図１Ａ】電子デバイスと基板との間の半田ボールによって占有されていない開放空間内にアンダーフィルが移動した状態を示す、図１と同様の側面図である。
【図２】本発明の実施形態による、真空アンダーフィル形成の手順を示すフロー図である。
【図３Ａ】基板上に取り付けられた電子デバイスの下方に真空アンダーフィル形成を行うための本発明の一実施形態による順序を示す概略平面図である。
【図３Ｂ】基板上に取り付けられた電子デバイスの下方に真空アンダーフィル形成を行うための本発明の一実施形態による順序を示す概略平面図である。
【図３Ｃ】基板上に取り付けられた電子デバイスの下方に真空アンダーフィル形成を行うための本発明の一実施形態による順序を示す概略平面図である。
【図４Ａ】本発明の他の実施形態による、図３Ａ−Ｃと同様の概略平面図である。
【図４Ｂ】本発明の他の実施形態による、図３Ａ−Ｃと同様の概略平面図である。
【図４Ｃ】本発明の他の実施形態による、図３Ａ−Ｃと同様の概略平面図である。
【図５Ａ】本発明の更に別の実施形態による、図３Ａ−Ｃと同様の概略平面図である。
【図５Ｂ】本発明の更に別の実施形態による、図３Ａ−Ｃと同様の概略平面図である。
【図５Ｃ】本発明の更に別の実施形態による、図３Ａ−Ｃと同様の概略平面図である。
【図５Ｄ】アンダーフィルが基板上にＬ型に分配された状態を示す、図５Ａと同様の概略平面図である。
【図５Ｅ】アンダーフィルが基板上にＵ型に分配された状態を示す、図５Ａと同様の概略平面図である。
【図５Ｆ】アンダーフィルが基板上にＩ型に分配された状態を示す、図５Ａと同様の概略平面図である。
【図５Ｇ】アンダーフィルがギャップなしで基板上に分配された状態を示す、図５Ａと同様の概略平面図である。
【図６】本発明の一実施形態による、真空アンダーフィル形成システムを概略的に示す図である。
【発明を実施するための形態】
【０００９】
一般に、本発明の実施形態は、半田ボールのアレイによって基板上に取り付けられた電子デバイスにアンダーフィルを形成するための真空補助された方法に関する。アンダーフィルは、リフローされた半田ボールのアレイによって加熱されていない基板に取り付けられた、加熱されていない電子デバイスの縁部の周りに１又はそれ以上のラインの形態で分配又は他の方法で形成される。アンダーフィルの１又はそれ以上のラインには少なくとも１つのギャップが残されていることが好ましい。顕著な毛管状アンダーフィルの形成（及び空気又はガスの閉じ込め）が生じる前に、基板が真空チャンバ内に移送され、真空が与えられる。真空が与えられている間、アンダーフィルの１又はそれ以上のラインにおける１つ又は複数のギャップによって、空気がデバイスの下側からギャップを通って流出し、電子デバイスと基板との間において電子デバイスの下側に真空状態（すなわち、大気圧よりも低い圧力）を確立することが可能になる。代替として、あまり好ましくはないが、アンダーフィル内にギャップを形成せず、デバイスの下側に閉じ込められた空気に依存して、デバイスが真空状態に置かれたときにアンダーフィルを貫通して泡が形成されるようにする手法がある。何れの手法においても、真空状態が維持されている間は電子デバイス及び基板が加熱され、アンダーフィルを電子デバイスの下側に完全に流れ、リフローされた半田ボール間の空間に流入させようにする。真空状態におけるアンダーフィル形成は、アンダーフィルに閉じ込められたあらゆるボイドからも与えられた真空レベルに比例して部分的にガスが真空排気されるようになることを意味する。与えられた真空圧力は、アンダーフィルの蒸気圧よりも低くてはならず、そうでなければアンダーフィルが沸騰して、本手法の安定性が低下する。次いで、真空チャンバは通気される。アンダーフィル内に存在するボイドは何れも真空排気された状態にあるためこの時点で圧潰され、アンダーフィルで充填されることになる。次に、アンダーフィルが形成された電子デバイス及び基板は、真空チャンバの外に移動される。
【００１０】
本発明の実施形態は、電子デバイスと基板との間に導電性接合部を形成するために、半田バンプの他に別の相互接続技術、例えば、銅ピラー及び他の熱圧縮相互接続技術にも適用される。
【００１１】
図１を参照すると、組立体１０は、プリント回路基板のような基板１２と、該基板１２の表面１６に取り付けられた電子デバイス１４とを含む。代表的な実施形態において、電子デバイス１４は、例えばフリップ・チップ、チップ・スケール・パッケージ（ＣＳＰ）、ボール・グリッド・アレイ（ＢＧＡ）、又はパッケージ・オン・パッケージ組立体（ＰｏＰ）とすることができる。同様に、基板１２は、例えばプリント回路基板（ＰＣＢ）、電子チップ又はウェーハとすることができ、或いは、電子デバイスの半導体パッケージで使用されているあらゆる基板又は介在部品とすることもできる。
【００１２】
図１、１Ａ，及び３Ａを参照すると、電子デバイス１４は、電子デバイス１４の側部すなわち外縁部１８，２０，２２，２４の各々に隣接して基板１２が露出されるようにするためのフットプリント（実装面積）を基板１２上に有する。半田接合２６は、電子デバイス１４を基板１２と機械的及び電気的に接続する。電子デバイス１４と基板１２との間に空間２８が定められ、該空間２８の一部は開放され（すなわち占有されていない）、代表的形態の半田ボールを有することができる半田接合２６によって充填されていない。外縁部１８、２０、２２、２４の各々において、電子デバイス１４と基板１２との間にギャップ１７が定められる。ギャップ２７は、空間２８に連通している。
【００１３】
図１Ａに示されるように、電子デバイス１４と基板１２との間の空間２８を充填するために、アンダーフィル３０が使用される。一例において、アンダーフィル３０は、硬化性の非導電性二酸化ケイ素微粒子が充填されたエポキシであり、基板１２に適用されるときには流体であり、毛管作用によって流動する。他の形式のアンダーフィルを使用することができ、そのようなアンダーフィルには、室温で固体か又は凍結されたものが含まれる。アンダーフィルは通常、硬化したアンダーフィルに望ましい性質を与えるために、例えばガラスのような小粒子が充填される。アンダーフィルは、硬化されて固化されると、強力に接着された凝集体となる。
【００１４】
図２を参照すると、本発明の実施形態による、真空アンダーフィル形成の手順が記載されている。図２の実施形態において、液状のアンダーフィルが基板上に分配される。アンダーフィルは、分配する代わりに、例えば、上述のようにピックアンドプレース（ｐｉｃｋ  ａｎｄ  ｐｌａｃｅ）装置を使用して固体形態で所定位置に配置することができる。ブロック５２において、液状のアンダーフィル３０が基板１２上に分配される。アンダーフィル３０は、電子デバイス１４の１又はそれ以上の外縁部１８，２０、２２の近傍に１又はそれ以上の連続的なライン（図３Ａ）として適用することができる。通常は、アンダーフィル３０の分配量は、電子デバイス１４の下側の開放空間２８と、アンダーフィル形成作業が完了した後にデバイス１４の周辺に沿って形成されるフィレット３１（図１Ｂ）とを加えた容積に等しい。アンダーフィル３０が適用されるときには基板１２は加熱されておらず、ギャップ４２がアンダーフィル３０内に存在し、ギャップ４２を通る空間２８の開放部分への空気通路が維持されるようにすることが好ましい。上述したように、好ましさに劣る方法は、ギャップが残らず、電子デバイス１４の下側に閉じ込められた空気に依存し、アンダーフィル３０を通過する泡を形成することである。
【００１５】
アンダーフィル３０は、複数の異なる形式の分配器を使用して多くの異なる手法により基板１２に適用することができる。例えば、本発明を限定するものではないが、アンダーフィル３０の一連の液滴を基板１２の表面１６の上方を移動する移動式噴流型分配器から基板１２の表面１６に分配することができる。
【００１６】
ブロック５４において、アンダーフィル３０は、基板１２に分配されたときに冷却される。一実施形態において、基板１２は、例えば１又はそれ以上の熱電冷却器によって室温を下回る温度まで冷却され、アンダーフィル３０は、適用された直後に基板１２とほぼ同じ温度まで冷却される。基板１２を冷却する代わりに、又はこれに加えて、基板１２上に分配される前に、アンダーフィル３０を分配器で冷却することができる。一実施形態において、アンダーフィル３０は、０℃から１０℃の範囲の温度に冷却される。冷却はアンダーフィル３０の粘性を増大させ、これによって電子デバイス１４と基板１２との間の空間２８の開放部への毛管作用による流動が更に阻止又は低減される。
【００１７】
ブロック５６において、空間２８の充填されていない部分は、アンダーフィル３０内のギャップ４２を通して準大気圧まで排気され、空間２８内に真空状態（すなわち、大気圧よりも低い圧力）が確立される。或いは、ギャップが設けられていない場合には、ガスは泡となってアンダーフィル３０を通過する。一実施形態において、電子デバイス１４とアンダーフィル３０を載せた基板１２が、真空チャンバに移動され、該チャンバの内部にシールされて、真空チャンバが準大気圧まで排気される。一実施形態において、真空状態に適した準大気圧は、水銀柱２５インチ（約９５Ｔｏｒｒ）から水銀柱２６インチ（約１００Ｔｏｒｒ）までよりも高いか又は等しい。何れにしても、準大気圧は、アンダーフィルの物理的特性が、顕著に又は有害に修正されないように制限される。
【００１８】
基板１２を真空チャンバの内外に移動させるのにあらゆる適切な技術を使用してもよく、従来の真空システムは、当業者にとって良く知られているものである。基板１２は、顕著な毛管状アンダーフィル形成（及び空気又はガスの閉じ込め）が起こる前に、真空チャンバ内に移送されるのが好ましい。
【００１９】
ブロック５８において、真空チャンバが真空排気された後で真空状態が維持されている間に、アンダーフィル３０は、室温よりも高い温度、例えば３０℃から１２０℃までの範囲の温度に加熱される。アンダーフィル３０は、基板１２又は電子デバイス１４、或いはその両方を加熱することにより、流れを引き起こすのに望ましい何らかの手順で加熱することができる。加熱に応答して、アンダーフィル３０は、毛管作用によって外縁部１８，２０，２２，２４の各々から狭いギャップ２７を通って空間２８内及びリフロー半田ボールの周りに流れる。空間２８の開放部が真空排気されるので、アンダーフィル３０は空間２８を横切って流れることができ、その結果、アンダーフィル３０内に閉じ込められたボイドの何れもが真空レベルまでガスが排出されるようになる。
【００２０】
ブロック６０において、完全な毛管流が起こるのに十分な時間が与えられた後、真空状態が除去され、大気圧に戻される。例えば、真空チャンバを通気して大気圧状態をもたらすことができる。大気圧の影響を受けて、アンダーフィル３０内に存在する何れのボイドは、準大気圧に排気された状態にあることに起因して圧潰され、アンダーフィル３０（図３）によって充填される。次いで、基板１２は、真空チャンバから硬化用オーブンに移送され、アンダーフィル３０が硬化される。
【００２１】
図４Ａないし４Ｃを参照すると、代替的な実施形態において、アンダーフィル３０は、電子デバイス１４の１又はそれ以上の外縁部１８，２０，２２，２４の近傍において複数のギャップ６１を有する一連の不連続領域（図４Ａ）として適用することができる。図４Ｂにおいて、ギャップ６１は、空間２８の開放部が真空排気されて真空状態になった後、アンダーフィル３０が加熱されるにつれて消滅する。図４Ｃにおいて、アンダーフィル３０は、電子デバイス１４の下方に流れる。
【００２２】
図５Ａないし５Ｅを参照すると、代替的な実施形態において、アンダーフィル３０は、電子デバイス１４の１又はそれ以上の外縁部１８，２０，２２，２４の近傍に１又はそれ以上の連続体の状態で適用することができる。この場合、図５Ａは、デバイスの４つの縁部の各々に沿って配置されたアンダーフィルのラインを示しており、ギャップ６２が、外縁部１８，２０，２２，２４の各対の間の各隅部に存在する。図５Ｂにおいて、アンダーフィル３０は、ギャップ６２を通って空間２８が真空状態に排気された後に加熱される。図５Ｃにおいて、加熱された状態のアンダーフィル３０は、デバイス１４の下方に流れる。
【００２３】
代替的な実施形態において、図５Ｄに示すように、アンダーフィル３０は、電子デバイス１４の外縁部１８，２４に沿ったＬ字型径路を用いたラインとして形成することができる。この場合、ギャップは、外縁部２０，２２に沿って存在する。別の代替的な実施形態において、図５Ｅに示すように、アンダーフィル３０は、電子デバイス１４の外縁部１８，２０、２２に沿ったＵ字型径路を用いたラインとして形成され、電子デバイス１４の外縁部２４に沿って形成しないようにすることができる。別の代替的な実施形態において、図５Ｆに示すように、アンダーフィル３０は、電子デバイス１４の外縁部２０に沿ったＩ字型径路を用いたラインとして形成され、電子デバイス１４の外縁部１８，２２、２４に沿って形成しないようにすることができる。おそらく最も好ましさが劣る代替的な実施形態において、図５Ｇに示すように、アンダーフィル３０は、４つの外縁部１８，１０，２２，２４の全てに沿ったラインとして隅部にギャップが定められていない重なり合った形態で適用することができる。この場合、真空が与えられたときには、電子デバイス１４の下方に閉じ込められていた空気又はガスは、泡状になってアンダーフィル３０を通過することになる。
【００２４】
アンダーフィルのラインは、カリフォルニア州カールズバッド所在のノードソンアシムテック社が販売するＤＪ９０００のような非接触型噴流弁により好ましい方法で適用されることに加えて、代替として、エポキシの固体プリフォームとして適用することができる。固体プリフォームは、基板１２上に載置された後、熱を加えると溶融する。固体プリフォームは、ピックアンドプレース機械又は機構によって所定位置に配置することができる。
【００２５】
図６を参照すると、真空アンダーフィル形成に用いるシステム１１０は、電子デバイス１４がリフローされた半田ボール又は他の相互接続技術によって取り付けられて、空間２８により基板１２から離隔されている基板１２上に所定量のアンダーフィル３０を分配するように構成されている。空間２８は、導電接合部２６によって占有されていない開放部分を有し、この場合、導電接合部はリフローされた半田ボールの形態である。
【００２６】
制御装置１２０は、作動制御装置１１８及び分配器制御装置１１６と電気的に結合されており、システム１１０の全体的制御を調整する。当業者には理解されるように、制御装置１１６，１１８，１２０の各々は、プログラム可能論理制御装置（ＰＬＣ）、デジタル信号処理装置（ＤＳＰ）、又は、メモリ内に記憶されて本明細書に記載される機能を実施するソフトウェアを実行可能な中央処理装置を備えたマイクロプロセッサベースの制御装置を含むことができる。
【００２７】
システム１１０は、好ましくは、冷却装置１３３と、分配器１３２と結合された冷却装置１３５とを含む。冷却装置１３３は、アンダーフィル３０が基板１２上に分配されたときに冷却されるように基板１２を冷却するよう構成されている。冷却装置１３５は、アンダーフィル３０が基板１２上に分配される前に冷却されるように、アンダーフィル３０を冷却するように構成されている。冷却装置１３３，１３５は好ましいが、任意選択的には、制御装置１２０の制御下の温度制御装置１３９によって、基板１２の温度を室温未満に低下させ及び／又は分配器１３２の一部の温度を室温未満に低下させるようにそれぞれ作動させることができる。
【００２８】
システム１１０は、所定量のアンダーフィルを分配するのに用いられる分配器１３２を含み、該分配器は噴流型分配器とすることができる。分配器１３２の下流側において、システム１１０は更に、真空チャンバ１５４を含み、該真空チャンバ１５４は、各組立体１０を挿入し取り外すためのアクセスを可能にするよう構成され、真空チャンバ１５４の内部空間が周囲の大気圧環境から遮断されるシール状態を形成するように構成される。真空ポンプ１６０が真空チャンバの内部空間と結合され、制御装置１２０によって作動されると、内部空間を真空排気するように構成される。通気孔１７４は、制御装置１２０の制御下でガスを内部空間に導入して、チャンバの圧力を高めるのに使用される。制御装置１２０は、運動制御装置１１８に運動命令を与えて、アンダーフィル３０が載った基板１２を真空チャンバ１５４内に移動させるに用いられる移送装置１２２を作動させる。
【００２９】
加熱器１６６が、真空チャンバ内部に配置され、制御装置１２０と連結された温度制御装置１６９によって作動されるように構成されている。熱は、加熱器１６６から各基板１２に伝達される。一実施形態において、基板１２及び該基板上のアンダーフィルの温度は、３０℃から１２０℃の範囲にわたる。
【００３０】
使用時には、基板１０が分配器１３２の下方の位置に移動され、アンダーフィルが分配又は他の方法で適用される。代表的な実施形態において、制御装置１２０が運動制御装置１１８に命令を送って移送装置１２２が分配器３２を移動させるようにし、制御装置１２０は、分配器制御装置１１６に命令を送って、分配器３２が、電子デバイス１４の外縁部１８，２０，２２，２４の周りに１又はそれ以上のライン状にアンダーフィルを分配するようにする。基板１２は、この分配動作中に加熱されることはない。アンダーフィル３０の１又はそれ以上のラインには少なくとも１つのギャップが残されているのが好ましい。噴流型分配器１３２では、分配器制御装置１６は、移動中の適切な時点で液滴噴流をトリガし、液滴が基板１２上の所望の場所に衝突するようにする。分配された各液滴は、少量のアンダーフィルを含み、該アンダーフィルは典型的には分配器制御装置１６によって高精度で制御される。
【００３１】
一実施形態において、冷却装置１３３を用いて基板１２を冷却し、アンダーフィル３０が基板１２と接触したときに室温未満の温度まで冷却するようにすることができる。代替として、分配器１３２と結合された冷却装置１３５を使用して、アンダーフィルを分配前に冷却することができる。
【００３２】
分配動作が完了した後で且つ顕著な毛管状アンダーフィル形成（及び空気又はガスの閉じ込め）が生じる前に、制御装置１２０が運動制御装置１１８に命令を送って、移送装置１２２が組立体１０及び基板１２上に分配されたアンダーフィル３０を真空チャンバ５４内に移送するようにする。組立体１０と基板１２上の分配されたアンダーフィル３０とが真空チャンバ５４の内部で周囲環境から隔離されると、制御装置１２０により、真空ポンプ１６０が真空チャンバ１５４内の内部空間を真空排気するようにする。真空状態が与えられている間、各ギャップは、電子デバイス１４と基板１２の間で電子デバイス１４の下側に真空状態（すなわち、大気圧よりも低い圧力）を確立できるようにし、或いは、ギャップが存在しない場合には、ガスが泡状になってアンダーフィルを通過し、電子デバイス１４の下側に真空状態を生成する。
【００３３】
真空チャンバ１５４の内部に適切な真空圧が存在し、真空状態が維持されていると、制御装置１２０により、温度制御装置１６９が加熱器１６６を作動させ、該加熱器が基板１２、電子デバイス１４、及びアンダーフィル３０を加熱する。高温によって、アンダーフィル３０が電子デバイス１４の下方の空間の開放部内に流動するのが促進される。アンダーフィル３０は、電子デバイス１４の下側に完全に流れて、リフローされた半田ボール間の空間に流入する。真空状態の存在下でのアンダーフィル形成は、アンダーフィル内に閉じ込められたボイドの何れもがガスが部分的に排出されるようになることを意味する。流れが終了した後、制御装置１２０は、運動制御装置１１８に命令を送って、通気孔１７４によりガスが真空チャンバ１５４に導入され、真空チャンバ１５４の内部の圧力が大気圧に戻されるようにする。アンダーフィル３０の内部に存在するあらゆるボイドは、真空排気された状態であるので圧潰され、アンダーフィル３０によって充填される。アンダーフィルが形成された電子デバイス１４を備えた基板１２は、真空チャンバ１５４から出て、例えば硬化用オーブン（図示せず）に移送される。
【００３４】
本発明は、１又はそれ以上の実施形態の説明によって例示され、相当な細部について説明がなされているが、これらの説明は、添付の請求項の範囲をこのような細部に限定し、或いは如何なる意味でも制限することを意図するものではない。更なる利点及び修正は、当業者には明らかであろう。従って、本発明は、より広い態様において具体的な細部、代表的な装置及び方法、並びに図示され説明された実施例に限定されるものではない。これにより、出願人の一般的な発明の概念の範囲又は精神から逸脱することなく、このような細部からの変更を行うこともできる。
【図１】
0005971868.tif 000002
【図１Ａ】
0005971868.tif 000003
【図２】
0005971868.tif 000004
【図３Ａ】
0005971868.tif 000005
【図３Ｂ】
0005971868.tif 000006
【図３Ｃ】
0005971868.tif 000007
【図４Ａ】
0005971868.tif 000008
【図４Ｂ】
0005971868.tif 000009
【図４Ｃ】
0005971868.tif 000010
【図５Ａ】
0005971868.tif 000011
【図５Ｂ】
0005971868.tif 000012
【図５Ｃ】
0005971868.tif 000013
【図５Ｄ】
0005971868.tif 000014
【図５Ｅ】
0005971868.tif 000015
【図５Ｆ】
0005971868.tif 000016
【図５Ｇ】
0005971868.tif 000017
【図６】
0005971868.tif 000018